(57)【要約】      （修正有）【課題】磁力の影響による誤作動を防止してカメラモジュールとスピーカとを隣接して配置することによりコンパクト化を図ることができる電子機器を提供する。【解決手段】カメラモジュール３０の側面３２１に磁力吸収面３３を設けたので、例えば手ぶれ補正装置のような磁力の影響を受け易いカメラモジュール３０の近傍にスピーカ３１のような強力な磁力を有する部品が取り付けられていても、影響を遮断できる。このため、磁力の影響による誤作動を防止してカメラモジュール３０とスピーカ３１とを隣接して配置することができ、電子機器のコンパクト化を図ることができる。【選択図】図４
2012209735.tif 000002
【特許請求の範囲】
【請求項１】
筐体と、
前記筐体に収容された回路基板と、
前記回路基板に実装されたカメラモジュールと、
前記筐体に収容されたスピーカと、
前記カメラモジュールの側面に設けられた磁力吸収面と、を備える電子機器。
【請求項２】
請求項１に記載の電子機器であって、
前記磁力吸収面が、前記カメラモジュールにおける前記スピーカに向く側面に設けられている電子機器。
【請求項３】
請求項１または請求項２に記載の電子機器であって、
前記磁力吸収面が、少なくとも前記カメラモジュールの前記回路基板側半分を覆う高さ寸法を有する電子機器。
【発明の詳細な説明】
【技術分野】
【０００１】
本発明は、カメラモジュールおよびスピーカを有する電子機器に関するものである。
【背景技術】
【０００２】
従来より、カメラモジュールおよびスピーカを有する電子機器が知られている（例えば、特許文献１参照）。
特許文献１に記載の電子機器は、光学式手振れ補正機能を備えたカメラモジュールを有する携帯端末であり、マグネットを用いてレンズを揺動させることにより、手振れを補正している。
【先行技術文献】
【特許文献】
【０００３】
【特許文献１】国際公開第２００９／１３３６９０号公報（第２図）
【発明の概要】
【発明が解決しようとする課題】
【０００４】
しかしながら、前述した特許文献１に記載の電子機器においては、カメラモジュールの近傍に強力な磁力を発するスピーカのマグネットが設けられていると、手振れ補正装置のマグネットがスピーカからの磁力の影響を受けて、手振れ補正装置が誤動作するおそれがある。
従って、磁力による誤作動を防止するためには、カメラモジュールとスピーカとの間隔を一定寸法以上離す必要があり、電子機器のコンパクト化を阻害するという問題があった。
【０００５】
本発明は、従来の問題を解決するためになされたもので、磁力の影響による誤作動を防止してカメラモジュールとスピーカとを隣接して配置することによりコンパクト化を図ることができる電子機器を提供することを目的とする。
【課題を解決するための手段】
【０００６】
本発明の電子機器は、筐体と、前記筐体に収容された回路基板と、前記回路基板に実装されたカメラモジュールと、前記筐体に収容されたスピーカと、前記カメラモジュールの側面に設けられた磁力吸収面と、を備えたものである。
【０００７】
また、本発明の電子機器では、前記磁力吸収面が前記カメラモジュールにおける前記スピーカに向く側面に設けられているものである。
【０００８】
さらに、本発明の電子機器では、前記磁力吸収面が、少なくとも前記カメラモジュールの前記回路基板側半分を覆う高さ寸法を有するものである。
【発明の効果】
【０００９】
本発明は、カメラモジュールの側面に磁力吸収面を設けたので、磁力の影響を受け易いカメラモジュールの近傍にスピーカのような強力な磁力を有する部品が取り付けられていても、その影響を遮断できる。このため、磁力の影響による誤作動を防止してカメラモジュールとスピーカとを隣接して配置することによりコンパクト化を図ることができるという効果を有する電子機器を提供できる。
【図面の簡単な説明】
【００１０】
【図１】本発明に係る実施形態の携帯端末の斜視図
【図２】本発明に係る実施形態の携帯端末の下筐体の分解斜視図
【図３】下筐体のケースの分解斜視図
【図４】カメラモジュールとスピーカの位置関係を示す斜視図
【発明を実施するための形態】
【００１１】
以下、本発明に係る実施形態の電子機器について、図面を用いて説明する。
図１に示すように、本発明に係る実施形態の電子機器である携帯端末１０は、上筐体１１と下筐体（筐体）２０とを有する。上筐体１１と下筐体２０とは、互いに長手方向へ沿ってスライド可能に連結されている。
なお、以下の説明において、使用者が、後述する操作部を通常操作する状態において上方となる側を上側（図１中下側）と云い、使用状態において下方となる側を下側（図１中上側）と云うこととする。
【００１２】
下筐体２０の下面２０１におけるスライド方向（矢印Ａ方向）前端部には、カメラ用レンズカバー２１が設けられている。
また、上筐体１１の上面１１１には、複数の操作キーを有する操作部（図示省略）および液晶表示板からなる表示部（図示省略）が設けられている。
【００１３】
図２に示すように、下筐体２０は、矩形箱状のケース２２と、ケース２２の下面２２１（図２において上面）を覆うカバー２３を有する。
図３に示すように、ケース２２は、ケース本体２６と蓋部２７を有する。
ケース本体２６は、ベースプレート２６１と周壁２６２とからなり、下方（図３において上方）に開口（開口部２６３）した矩形箱状を呈している。ベースプレート２６１の内面には回路基板２９が取り付けられており、回路基板２９のスライド方向前端部（図３において右上端部）にはカメラモジュール３０が、カメラレンズ３４を下方（図３において上方）へ向けて設けられている。
【００１４】
蓋部２７はケース本体２６の開口部２６３を覆う矩形板状部材であり、ケース本体２６に収容されるカメラモジュール３０に対応して、円形のカメラ用開口部２７１が設けられ、カメラ用開口部２７１にカメラ用レンズカバーが設けられている。また、ケース２２におけるスライド方向後端部（図３において左下端部）には、電池パック２４（図２参照）を収容する収容凹部２５が設けられている。
また、ケース本体２６における収容凹部２５と反対側端部には、ホルダ２８が収容されている。ホルダ２８におけるカメラモジュール３０に対応する位置には、シールド開口部２８１を有するシールド部材２８２が取り付けられている。
【００１５】
従って、シールド開口部２８１にカメラモジュール３０を収容するようにホルダ２８をケース本体２６に取り付けて、蓋部２７で覆う。
このとき、カメラモジュール３０のカメラレンズ３４は、シールド部材２８２のシールド開口部２８１および蓋部２７のカメラ用開口部２７１を介して、ケース２２外部に露出する。
【００１６】
図２に示すように、カバー２３のスライド方向前端部には、ケース２２に設けられたカメラモジュール３０に対応して、カメラ用開口部２７１に設けられたカメラ用レンズカバーが外部露出するカバー開口２１が設けられる。また、図示はしないが、カバー２３においてケース２２の収容凹部２５に対応する位置に、電池用の蓋を着脱可能に設ける場合もある。
【００１７】
図４に示すように、回路基板２９には、下方（図４において上方）へ突出し、カメラレンズ３４を下方に向けて、矩形柱状のカメラモジュール３０が実装されており、カメラモジュール３０に隣接して、スピーカ３１が回路基板２９に取り付けられている。
カメラモジュール３０には手振れ補正装置（図示省略）が装備されており、ここでは、例えばカメラモジュール３０そのものを移動させることにより手振れを補正するモジュールシフト方式のものを対象とすることができる。この場合、手振れ補正装置には強い磁力が必要となるため、他の部品であるスピーカ３１のマグネットが発する磁力の影響を受けやすくなる。
【００１８】
カメラモジュール３０は、上方が開口した矩形箱状の外枠３２を有しており、外枠３２の内部にカメラモジュール３０が移動可能に支持されている。外枠３２の側面であるスピーカ側外面３２１には、磁力吸収面である例えばフェライトシート３３が取り付けられている。
なお、磁力吸収面は、シート状に限らず、板状、あるいは磁力吸収部材を含有する樹脂等の形態であっても可能である。
【００１９】
カメラモジュール３０では、手振れ補正装置が回路基板２９側に設けられているので、フェライトシート３３を回路基板２９側に取り付ける。外枠３２は高さＨ０を有しており、フェライトシート３３は、少なくともカメラモジュール３０の回路基板２９側半分を覆う高さ寸法Ｈ１を有する。
すなわち、フェライトシート３３の高さＨ１は、外枠３２の高さＨ０の半分以上（Ｈ１＞Ｈ０／２）であり、カメラモジュール３０の取付側である回路基板２９側の半分を覆っている。
【００２０】
以上、説明した本発明に係る実施形態の携帯端末１０によれば、カメラモジュール３０のスピーカ側外面３２１にフェライトシート３３を設けた。
このため、例えば手ぶれ補正装置のような磁力の影響を受け易い部位を有するカメラモジュール３０の近傍に、スピーカ３１のような強力な磁力を有する部品が取り付けられていても、磁力を遮断できる。
従って、磁力の影響によるカメラモジュール３０の誤作動を防止して、カメラモジュール３０とスピーカ３１とを隣接して配置することができ、カメラモジュール３０とスピーカ３１との間の距離Ｄ（図４参照）を短くすることができる。これにより、携帯端末１０のコンパクト化を図ることができる。
【００２１】
また、本発明の携帯端末１０では、カメラモジュール３０においてスピーカ３１に向く側面、すなわち、カメラモジュール３０の外枠３２のスピーカ側外面３２１にフェライトシート３３を設けたので、効率よくスピーカ３１からの磁力を遮断できる。
【００２２】
さらに、本発明の携帯端末１０では、フェライトシート３３が、少なくともカメラモジュール３０の回路基板２９側半分を覆う高さ寸法を有する。
このため、カメラモジュール３０において磁力の影響を受けやすい部分である手振れ補正装置に対するスピーカ３１からの磁力を遮断できるので、効率的にカメラモジュール３０の誤作動を防止できる。
【００２３】
なお、本発明の電子機器は、前述した実施形態に限定されるものでなく、適宜な変形，改良等が可能である。
例えば、前述した実施形態においては、電子機器として上筐体１１および下筐体２０を相対的にスライドさせるスライド式の携帯端末１０を例示したが、本発明は、開閉式等その他の形式でカメラモジュール３０およびスピーカ３１を有する携帯端末１０についても同様に適用可能である。
【産業上の利用可能性】
【００２４】
以上のように、本発明にかかる電子機器は、磁力の影響による誤作動を防止してカメラモジュールとスピーカとを隣接して配置することによりコンパクト化を図ることができるという効果を有し、カメラモジュールおよびスピーカを有する電子機器等として有用である。
【符号の説明】
【００２５】
１０  携帯端末（電子機器）
２０  下筐体（筐体）
２９  回路基板
３０  カメラモジュール
３１  スピーカ
３２１  スピーカ側外面（スピーカに向く側面）
３３  フェライトシート（磁力吸収面）
【図１】
2012209735.tif 000003
【図２】
2012209735.tif 000004
【図３】
2012209735.tif 000005
【図４】
2012209735.tif 000006
【手続補正書】
【提出日】平成24年3月16日(2012.3.16)
【手続補正１】
【補正対象書類名】特許請求の範囲
【補正対象項目名】全文
【補正方法】変更
【補正の内容】
【特許請求の範囲】
【請求項１】
筐体と、
前記筐体に収容された回路基板と、
前記回路基板に実装されたカメラモジュールと、
前記筐体に収容されたスピーカと、
前記カメラモジュールの側面に設けられた磁力吸収面と、を備え、
前記磁力吸収面が、前記カメラモジュールにおける前記スピーカに向く側面に設けられている電子機器。
【請求項２】
請求項１に記載の電子機器であって、
前記磁力吸収面が、少なくとも前記カメラモジュールの前記回路基板側半分を覆う高さ寸法を有する電子機器。
【手続補正２】
【補正対象書類名】明細書
【補正対象項目名】０００６
【補正方法】変更
【補正の内容】
【０００６】
本発明の電子機器は、筐体と、前記筐体に収容された回路基板と、前記回路基板に実装
されたカメラモジュールと、前記筐体に収容されたスピーカと、前記カメラモジュールの
側面に設けられた磁力吸収面と、を備え、前記磁力吸収面が前記カメラモジュールにおける前記スピーカに向く側面に設けられているものである。
【手続補正３】
【補正対象書類名】明細書
【補正対象項目名】０００７
【補正方法】削除
【補正の内容】